(57)【要約】【課題】  飲料用食器と料理とを片手で運ぶことができ、かつ、テーブルなどの上に置いても安定する食器を提供することを目的とする。【解決手段】皿１は、載置部２、収納部６、脚部４、及び、器部８を含み構成されている。器部８は、一定以上の深さがあるよう凹状に形成された部分であり、皿１の少なくとも半分の領域を占める大きさである。また、載置部２は、器部８の隣接する位置に設けられており、一部の上面を平らな部分を備えている。また、脚部４は、器部８の高さ方向において、器部８の凹み方向と同じ方向に、載置部２から下方に突出して設けられている。また、収納部６は、載置部２及び脚部４に設けられ、脚部４の一部を収納する貫通孔、又は凹みである。載置部２、脚部４、及び、器部８は、一体的に形成されている。より好ましくは、皿１の全体が一体的に形成されている。【選択図】図１
2016214486.tif 000002
【特許請求の範囲】
【請求項１】
少なくとも一部が凹状に形成された器皿部と、
前記器皿部と隣接する位置に設けられ、少なくとも一部の上面が平らに形成された載置部と、
前記器皿部の高さ方向において、前記載置部から下方に突出して形成された脚部と
を有し、
前記器皿部と前記載置部と前記脚部とが一体的に形成されている
食器。
【請求項２】
前記載置部は、平らに形成された部分が飲料用食器を載置できる大きさに形成され、
前記脚部は、前記載置部から前記器皿部の底面までの長さに形成されている
請求項１に記載の食器。
【請求項３】
前記載置部は、前記器皿部の高さ方向において、該器皿部の底面の位置より上方に位置し、該器皿部の縁から連続して形成されている
請求項２に記載の食器。
【請求項４】
前記食器は、周縁部分を除いた部分の厚みが略同じ厚さである薄肉形状の皿であり、
前記載置部及び前記脚部に設けられ、前記脚部の一部を収納する収納部
をさらに有する
請求３項に記載の食器。
【請求項５】
前記載置部及び前記脚部に設けられた溝部
をさらに有し、
前記収納部は、前記載置部及び前記脚部に連続する貫通孔であり、
前記飲料用食器は、ステムを含む飲料用食器であり、
前記溝部は、少なくとも前記飲料用食器におけるステムを通す幅に形成され、前記貫通孔に接続されて設けられ、
前記貫通孔は、前記脚部の一部を収納する大きさ、かつ、前記飲料用食器におけるステムを収納する大きさに形成されている
請求項４に記載の食器。
【請求項６】
前記載置部は、平らに形成された上面に広告を表示されている
請求項５に記載の食器。
【請求項７】
第１の食器と、
前記第１の食器の上部に積み重ねる第２の食器と
を有し、
前記第１の食器、及び、第２の食器は、
少なくとも一部が凹状に形成された器皿部と、
前記器皿部と隣接する位置に設けられ、少なくとも一部が平らに形成された載置部と、
前記器皿部の凹み方向と同じ方向に、前記載置部から突出して配置された脚部と、
前記載置部及び前記脚部に設けられ、前記脚部の一部を収納する収納部と
を有し、
前記器皿部と前記載置部と前記脚部とが一体的に形成されている
食器セット。
【発明の詳細な説明】
【技術分野】
【０００１】
本発明は、食器、及び、食器セットに関する。
【背景技術】
【０００２】
例えば、特許文献１には、皿本体（１）の一部に、グラスの柄を通過させるための切り込み（２）を有する構造とする、グラス受け付き皿が開示されている。
また、特許文献２には、食器を保持するための少なくとも１つの食器保持用孔と、指を挿通して支持するために用いられる支持用孔とを有し、板状に形成されていることを特徴とする食器保持具が開示されている。
【０００３】
また、特許文献３には、皿部と指差し穴を有する保持部からなる料理受皿の保持部に寸胴でない任意のグラスを差し込んで片手で保持できるグラス保持穴を設けた立食用グラス保持機能付受皿が開示されている。
また、特許文献４には、料理皿と飲料カップとを載置する平面を有すると共に、指通し穴を穿設した盆本体からなることを特徴とする食器受け盆が開示されている。
【先行技術文献】
【特許文献】
【０００４】
【特許文献１】特開平１０−３１３９９６号公報
【特許文献２】特開２０００−１５７４０３号公報
【特許文献３】特開２００３−５２５１６号公報
【特許文献４】特開２００２−４３０号公報
【発明の概要】
【発明が解決しようとする課題】
【０００５】
本発明は、飲料用食器と料理とを片手で運ぶことができ、かつ、テーブルなどの上に置いても安定する食器、及び、食器セット提供することを目的とする。
【課題を解決するための手段】
【０００６】
本発明に係る食器は、少なくとも一部が凹状に形成された器皿部と、前記器皿部と隣接する位置に設けられ、少なくとも一部の上面が平らに形成された載置部と、前記器皿部の高さ方向において、前記載置部から下方に突出して形成された脚部とを有し、前記器皿部と前記載置部と前記脚部とが一体的に形成されている。
【０００７】
好適には、前記載置部は、平らに形成された部分が飲料用食器を載置できる大きさに形成され、前記脚部は、前記載置部から前記器皿部の底面までの長さに形成されている。
【０００８】
好適には、前記載置部は、前記器皿部の高さ方向において、該器皿部の底面の位置より上方に位置し、該器皿部の縁から連続して形成されている。
【０００９】
好適には、前記食器は、周縁部分を除いた部分の厚みが略同じ厚さである薄肉形状の皿であり、前記載置部及び前記脚部に設けられ、前記脚部の一部を収納する収納部をさらに有する。
【００１０】
好適には、前記載置部及び前記脚部に設けられた溝部をさらに有し、前記収納部は、前記載置部及び前記脚部に連続する貫通孔であり、前記飲料用食器は、ステムを含む飲料用食器であり、前記溝部は、少なくとも前記飲料用食器におけるステムを通す幅に形成され、前記貫通孔に接続されて設けられ、前記貫通孔は、前記脚部の一部を収納する大きさ、かつ、前記飲料用食器におけるステムを収納する大きさに形成されている。
【００１１】
好適には、前記載置部は、平らに形成された上面に広告を表示されている。
【００１２】
また、本発明に係る食器セットは、第１の食器と、前記第１の食器の上部に積み重ねる第２の食器とを有し、前記第１の食器、及び、第２の食器は、少なくとも一部が凹状に形成された器皿部と、前記器皿部と隣接する位置に設けられ、少なくとも一部が平らに形成された載置部と、前記器皿部の凹み方向と同じ方向に、前記載置部から突出して配置された脚部と、前記載置部及び前記脚部に設けられ、前記脚部の一部を収納する収納部とを有し、前記器皿部と前記載置部と前記脚部とが一体的に形成されている。
【発明の効果】
【００１３】
本発明によれば、飲料用食器と料理とを片手で運ぶことができ、かつ、テーブルなどの上に置いても安定する。
【図面の簡単な説明】
【００１４】
【図１】本実施例における皿１の概要を説明する斜視図である。
【図２】本実施例における皿１の構成を説明する斜視図及び正面図である。
【図３】本実施例における皿１を積み重ねた状態を例示する図である。
【図４】本実施例における皿１の使用形態を説明する図である。
【図５】実施例における変形例の概要を説明する斜視図である。
【図６】変形例における皿１のＡ部を説明する部分拡大斜視図である。
【図７】変形例における皿１と飲料用食器５０とを保持した状態を例示する図である。
【発明を実施するための形態】
【００１５】
以下、本発明に係る実施形態の構成を、図面を参照して説明する。ただし、本発明の範囲は、図示例に限定されるものではない。
【００１６】
［概要］
まず、本実施例における概要を説明する。
図１は、本実施例における皿１の概要を説明する斜視図である。
図２は、本実施例における皿１の構成を説明する斜視図及び正面図である。
図１及び図２に例示するように、皿１は、片手で持つことのできる円形状である。また、皿１は、多角形状であってもよい。
皿１は、載置部２、収納部６、脚部４、及び、器部８を含み構成されている。
器部８は、一定以上の深さがあるよう凹状に形成された部分であり、皿１の少なくとも半分の領域を占める大きさである。また、載置部２は、器部８の隣接する位置に設けられており、一部の上面を平らな部分を備えている。また、脚部４は、器部８の高さ方向において、器部８の凹み方向と同じ方向に、載置部２から下方に突出して設けられている。また、収納部６は、載置部２及び脚部４に設けられ、脚部４の一部を収納する貫通孔、又は凹みである。載置部２、脚部４、及び、器部８は、一体的に形成されている。より好ましくは、皿１の全体が一体的に形成されている。
使用者は、指で脚部４をにぎりながら載置部２を挟むことにより、皿１を片手で持つことができる。さらに、使用者は、皿１を持った状態で、載置部２に飲料用食器５０を載置し、飲料用食器５０のベースを載置部２とともに挟み固定することにより、片手で皿１と飲料用食器５０とを同時に持つことができる。
なお、飲料用食器５０は、本発明に係る飲料用食器の一例である。飲料用食器５０とは、飲料を飲むための器であり、例えば、コップ、カップ、及び、グラスを含む概念である。なお、本実施例の飲料用食器５０は、本体（ボウル）、脚（ステム）、及び、台（ベース又はプレート）により構成されたステムを含むグラス（ステムグラス）であり、例えば、カクテル、ワイン、又は、シャンパン用のグラスである。
【００１７】
このように、本実施形態に係る皿１は、飲料用食器５０と料理とを片手で運ぶことができる。なお、皿１は、本発明に係る食器の一例である。
【００１８】
［構成］
次に、本実施例における構成を説明する。
図２（Ａ）は、本実施例における皿１の斜視図であり、図２（Ｂ）は、設置面に載置した皿１の正面図である。
図２（Ａ）及び図２（Ｂ）に例示するように、皿１は、載置部２、収納部６、脚部４、及び、器部８を含み構成されている。
皿１は、例えば、合成樹脂部材、繊維部材、木材、又は、陶磁器で構成されている。なお、本実施例の皿１は、合成樹脂部材で構成されており、プレス加工にて成形されている。皿１は、プレス加工にて成形することにより、大量生産を可能にすることができる。また、皿１は、皿１の周縁部分である縁１０を除いた部分の厚みが略同じ厚さの薄肉形状である。これにより、軽量に形成することができ、スタッキング性を高めることが期待できる。
【００１９】
（載置部２）
図２（Ａ）に例示するように、載置部２は、少なくとも一部の上面が平らに形成され、平らである部分が少なくとも飲食用食器５０を載置できる大きさである。これにより、使用者は、載置部２に飲食用食器５０を載置することができる。
また、載置部２は、例えば、平らである部分のうち、飲食用食器５０のベースの底面にあたる形状に凹ませて、飲食用食器５０を載置する部分を設けてもよい。これにより、載置部２は、凹ませた飲食用食器５０を載置する部分がズレ留めとしての機能を備えることが期待できる。
また、載置部２は、平らに形成された上面に、広告１５を表示されている。これにより、皿１の成形時だけでなく、皿１の成形後に印刷等にて広告１５を表示することもできる。また、載置部２は、飲食用食器５０を載置する平らに形成された部分に広告１５を表示することにより、使用者は、飲食用食器５０を載せる動作を行う毎に視界に入るため、使用者の記憶にとどまりやすい効果が期待できる。なお、広告１５とは、例えば、企業名、商品名、又は、サービス名等であり、表示形態としては、ロゴタイプ、シンボルマーク、又は、これらの組み合せたものである。
また、載置部２は、飲食用食器５０を載置する平面部分に広告１５を表示することにより、料理を盛るための器部８に比べて汚れる虞がないため、効率的に広告１５を表示することができる。
【００２０】
また、図２（Ｂ）に例示するように、載置部２は、器部８と隣接する位置に設けられ、器部８の高さ方向において、器部８の底面（器部８と設置面とが接触する部分）より上方となる位置に設けられている。載置部２は、器部８の底面より上方である縁１０に近い位置に設けることにより、載置部２と、皿１を置いた設置面とを離間させることができる。載置部２は、高さ方向における設置位置として、少なくとも使用者の指が入る程度の離間距離となる位置に設置することが好ましい。この構成により、使用者は、載置部２と設置面との間に指が入り込むため、載置部２に設けられた脚部４に指を掛けることができ容易に皿１を持つことができる。なお、本実施例の載置部２は、器部８の縁１０とほぼ同じ高さの位置にあり、水平方向に器部８の縁１０から連続して形成されている。これにより、使用者は、載置部２に設けられた脚部４に指を掛けることができるため、容易に皿１を持つことができる。
【００２１】
また、載置部２は、器部８における縁１０の高さ位置と略同じ位置に設けることにより、例えば、器部８の外壁面形状が底面から縁１０の方向に広がって傾斜する形状であり、かつ、飲料用食器５０が円筒状のタンブラー型である場合であっても、使用者は、器部８に阻害されることなく載置部２に飲料用食器５０を載置することができる。このように、載置部２は、器部８における縁１０の高さ位置と略同じ位置に設けることにより、様々な形状の飲料用食器５０を載置することができる。また、載置部２は、器部８の深さが浅く、縁１０と設置面との離間距離が使用者の指が入らない距離となる場合には、器部８における縁１０より上方となる位置に設けてもよい。
【００２２】
（脚部４）
脚部４は、本発明に係る脚部の一例である。
図２（Ａ）及び図２（Ｂ）に例示するように、脚部４は、器部８の高さ方向において、載置部２から下方に突出して設けられる。脚部４は、載置部２から下方に突出しているため、載置部２に載置された飲食用食器５０を支持することができる。具体的には、脚部４は、載置部２のうち、載置部２に載置された飲食用食器５０を支持することのできる位置に設けられ、さらに具体的には、載置部２に載置された飲食用食器５０の底面部分に当たる位置に設けられている。
また、図２（Ｂ）に例示するように、脚部４の長さは、載置部２から器部８の底面までの長さである。脚部４は、高さ方向において、脚部４の端部を器部８の底面までの長さとすることにより、皿１は、脚部４と器部８とを設置面に接触させることができる。これにより、皿１は、載置部２に載置された飲食用食器５０を脚部４だけでなく、器部８を含めた２箇所で、飲食用食器５０を支持することができる。
また、脚部４は、載置部２を支持している。そのため、脚部４は、載置部２を薄肉に形成する場合において、載置部２との接続部分における脚部４の太さを太くすることにより、載置部２の強度を保持させることが期待できる。なお、本実施例の脚部４は、載置部２から先細り（テーパ）状に傾斜させている。また、脚部４は、使用者の握り易い形状に適宜形成することができる。
【００２３】
（収納部６）
図２（Ａ）及び図２（Ｂ）に例示するように、収納部６は、載置部２及び脚部４に設けられ、脚部４の一部を収納する凹み、又は、貫通孔である。収納部６は、複数の皿１を積み重ねる場合に、上方に位置する皿１における脚部４を収納する。
なお、本実施例の収納部６は、脚部４の一部を収納する貫通孔である。収納部６は、脚部４を収納するために脚部４の形状に合わせて穿孔されており、載置部２から脚部４の方向に、先細り状（テーパ状）に傾斜させて形成されている。
また、収納部６は、収納部６の内壁面形状を、脚部４の外壁面形状より、傾斜角度を鋭く形成してもよい。これにより、収納時において、脚部４が収納部６の内部途中で固定されるため、積み重ねた皿１におけるそれぞれの載置部２を互いに離間させることが期待できる。
収納部６は、貫通孔であることにより、皿１を洗浄したときにおける脚部４の内部（収納部６）に入り込んだ水を効率的に排水することが期待できる。
また、収納部６は、貫通孔であることにより、吊下げるための孔として機能する。これにより、皿１は、例えば、壁面等に設けられたピン又はフック等に収納部６を引っ掛けて陳列することができるため、広告１５を付与することより広告媒体とすることができる。また、皿１は、例えば、収納時において、吊下げて収納することもできる。具体的には、皿１は、収納部６に棒材を挿通し、挿通した棒材を水平にした状態でその両端を固定することにより、複数の皿を吊下げた状態で収納することができる。これにより、皿１の水切りを行うこともできる。
【００２４】
（器部８）
器部８は、本発明に係る器皿部の一例である。
図２（Ａ）に例示するように、器部８は、例えば、料理を盛るために設けられている。器部８は、少なくとも一部が凹状に形成されており、凹状に形成された部分が少なくとも一定以上の深さのある形状に形成されている。器部８は、一定以上の深さのある形状であるため、皿１からこぼれないよう料理を盛ることができる。器部８は、複数備えてもよいし、一つの器部８を区切るよう領域を分割して構成してもよい。なお、本実施例の器部８は、一つの凹状部分を備えるものである。
また、器部８は、載置部２と隣接する位置に設けられ、載置部２から下方に突出する脚部４とは離間している。器部８は、脚部４と離間しているため、使用者は、脚部４に指を巻いて握ることができる。
また、図２（Ｂ）に例示するように、器部８は、器部８は、器部８の底面が皿１の重心位置の近傍に設けている。これにより、皿１は、安定した状態で設置面に載置することができる。さらに、皿１は、載置部２に設けられた脚部４を設置面に接触させることによって、より皿１を安定させた状態で配置することができる。
このように、皿１は、載置部２、収納部６、脚部４、及び、器部８を含み構成されている。
【００２５】
次に、皿１のスタッキングを説明する。
図３は、本実施例における皿１を積み重ねた状態を例示する図であり、図３（Ａ）は、積み重ねた皿１ａ〜１ｃを例示する正面図であり、図３（Ｂ）は、積み重ねた皿１ａ〜ｃにおける収納部６ａ〜６ｃを説明する正面図である。
図３（Ａ）及び図３（Ｂ）に例示するように、皿１ａ〜１ｃは、略同じ形状をした皿であり、それぞれ積み重ねて収納されている。なお、それぞれの皿１は、皿１の周縁部分である縁１０を除いた部分の厚みが略同じ厚さの薄肉形状である。
まず、皿１ａ及び皿１ｂに着目すると、図３（Ａ）に例示するように、皿１ｂは、皿１ａに積み重なっている。具体的には、皿１ｂは、皿１ａにおける収納部６ａに脚部４ｂを収納し、皿１ａにおける器部８ａに器部８ｂを収納している。また、図３（Ｂ）に例示するように、皿１ａにおける収納部６ａは、脚部４ｂの一部を収納できる形状であるため、収納部６ａに脚部４ｂを挿入し収納することができる。よって、皿１ｂは、皿１ａに積み重ねることができる。なお、皿１ｂは、本発明に係る第２の食器の一例であり、皿１ａは、本発明に係る第１の食器の一例である。
次に、皿１ｂ及び皿１ｃに着目すると、図３（Ａ）に例示するように、皿１ｃは、皿１ｂに積み重なっている。具体的には、皿１ｃは、皿１ｂにおける収納部６ｂに脚部４ｃを収納し、皿１ｂにおける器部８ｂに器部８ｃを収納している。また、図３（Ｂ）に例示するように、皿１ｂにおける収納部６ｂは、脚部４ｃの一部を収納できる形成であるため、収納部６ｂに脚部４ｃを挿入し収納することができる。よって皿１ｃは、皿１ｂに積み重ねることができる。なお、皿１ｃは、本発明に係る第２の食器の一例であり、皿１ｂは、本発明に係る第１の食器の一例である。
このように、使用者は、複数の皿１ａ〜１ｃを積み重ねて収納することができる。
【００２６】
［使用形態］
次に、皿１の使用形態を説明する。
図４は、本実施例における皿１の使用形態を説明する図である。
図４（Ａ）は、設置面に置かれた皿１に飲料用食器５０を載置した状態を例示する図であり、図４（Ｂ）は、皿１と飲料用食器５０とを保持した状態を例示する図である。
図４（Ａ）に例示するように、使用者は、設置面に皿１を載置し、皿１の載置部２に飲料用食器５０を載置する。皿１は、載置部２に飲料用食器５０を載置されたときに、載置部２から下方に突出した脚部４によって飲料用食器５０及び載置部２を支持している。
図４（Ｂ）に例示するように、使用者は、載置部２に載置された飲料用食器５０におけるベースと、皿１の載置部２とを纏めて挟むことにより、これらをまとめて持つ。
このように、使用者は、飲料用食器５０と皿１とを片手で持つことができる。使用者は、飲料用食器５０と皿１とを一方の手で持つことができるため、例えば、他方の手で料理を器部８に盛り付けることができる。
なお、使用者は、予め、皿１を持った状態で、皿１における載置部２に飲料用食器５０を載置し、飲料用食器５０と皿１とを纏めて持ってもよい。
【００２７】
以上説明したように、本実施形例の皿１は、少なくとも一部が凹状に形成された器部８の隣接する位置に、少なくとも一部の上面が平らに形成された載置部２を形成されている。さらに、皿１は、器部８の高さ方向において、器部８の凹み方向と同じ方向に、載置部２から下方に突出して脚部４を形成されて、これら載置部２、脚部４、及び、器部８を一体的に形成されている。皿１は、設置面に置いた状態で載置部２に飲料用食器５０を載置された場合に、載置部２から下方に突出した脚部４によって載置部２を支持しているため、安定した状態で載置部２に飲料用食器５０を載置することができる。
【００２８】
また、皿１は、載置部２において平らに形成された上面部分が飲料用食器を載置できる大きさに形成され、脚部４において載置部２から器部８の底面までの長さに形成されていることにより、脚部４と器部８とを設置面に接触させることができる。これにより、皿１は、載置部２に載置された飲食用食器５０を脚部４だけでなく、器部８を含めた２箇所で、飲食用食器５０を支持することができるため、飲食用食器５０を載置した状態における皿１の不安定さ（グラつき等）を軽減することが期待できる。
【００２９】
また、皿１は、器部８の高さ方向において、器部８の底面の位置より上方に位置し、器部８の縁１０から連続して載置部２を形成することにより、器部８の形状によって干渉しないよう載置部２に飲料用食器５０を載置することができる。
【００３０】
また、皿１は、載置部２及び脚部４に設けられ、脚部４の一部を収納する収納部６を備えることにより、上方に位置する皿における脚部４を収納することができため、複数の皿を積み重ねることができる。さらに、皿１は、薄肉形状であるため、複数の皿を積み重ねてもコンパクトに収納することが期待できる。
【００３１】
また、皿１は、平らに形成されている載置部２に広告１５を載せることもできる。皿１は、載置部２に広告１５を載せることにより、皿１を使用する使用者に対しての宣伝効果を期待できる。とくに、会合や集会等であるパーティーに好ましい。
以上、本発明に係る実施形態について説明したが、これらに限定されるものではなく、発明の趣旨を逸脱しない範囲内において、種々の変更、追加等が可能である。
【００３２】
［変形例］
次に、本実施例における変形例を説明する。
上記実施例では、載置部２に飲料用食器５０を載置する場合を説明したが、本変形例では、載置部２及び脚部４にスリットを設けて、載置部２及び脚部４に飲料用食器５０を挟み込む場合を説明する。
なお、本変形例において、上記実施例と実質的に同一の機能、構成を有する要素については、同一の符号を付することにより重複説明を省略し、また本発明に直接関係のない要素は図示を省略する。
【００３３】
図５は、実施例における変形例の概要を説明する斜視図である。
図５に例示するように、皿１は、載置部２及び脚部２にスリット５を設けられている。皿１は、設けられたスリット５に飲料用食器５０のステムを通すことにより、皿１に飲料用食器５０を挟むことができる。
（スリット５）
図６は、変形例における皿１のＡ部を説明する部分拡大斜視図である。
スリット５は、本発明に係る溝部の一例である。
図６に例示するように、スリット５は、載置部２及び脚部４に設けられている。具体的には、スリット５は、載置部２に設けられた載置部スリット５ａと、脚部４に設けられた脚部スリット５ｂとを含んでいる。
載置部スリット５ａと脚部スリット５ｂは、連続して一体的になっており、一つの割れ目となっている。また、脚部スリット５ｂは、収納部６に接続されて設けられている。
また、載置部スリット５ａ、及び、脚部スリット５ｂの幅は、少なくとも飲料用食器５０のステムを通す幅に形成されている。なお、スリット５における脚部スリット５ｂに接続している収納部６は、脚部４の一部を収納する大きさであり、かつ、飲料用食器５０のステムを通す大きさの貫通孔である。
【００３４】
図７は、変形例における皿１と飲料用食器５０とを保持した状態を例示する図である。
図７に例示するように、まず、使用者は、一方の手で皿１を持った状態で、他方の手で飲料用食器５０を皿１に配置する。
具体的には、使用者は、皿１を持った状態で、スリット５における載置部スリット５ａに飲料用食器５０のステムを挿入し、収納部６の方向にスライドさせる。さらに、使用者は、飲料用食器５０のステムをスライドさせて、スリット５における脚部スリット５ｂを通過させ、収納部６の内部に配置する。使用者は、収納部６の内部に配置した後、載置部２の上面に飲料用食器５０の本体を載置する。
次に、使用者は、一方の手で飲料用食器５０と皿１とを纏めて持つ。
具体的には、使用者は、収納部６の内部に位置するに飲料用食器５０のステムと、脚部４とを握り、かつ、載置部２を挟むことで、飲料用食器５０と皿１とを纏めて持つことができる。
このように、使用者は、飲料用食器５０と皿１とを片手で持つことができる。なお、使用者は、予め、皿１を設置面に置いた状態で、スリット５から収納部６に飲料用食器５０を配置した後に、飲料用食器５０と皿１とを纏めて持ってもよい。
【符号の説明】
【００３５】
１…皿
２…載置部
１５…広告
４…脚部
６…収納部
８…器部
１０…縁
５０…飲料用食器
５…スリット
５ａ…載置部スリット
５ｂ…脚部スリット
【図１】
2016214486.tif 000003
【図２】
2016214486.tif 000004
【図３】
2016214486.tif 000005
【図４】
2016214486.tif 000006
【図５】
2016214486.tif 000007
【図６】
2016214486.tif 000008
【図７】
2016214486.tif 000009